(57)【特許請求の範囲】
【請求項１】
固定端子に連設された端子接続部に外部配線を、サイズの異なる複数の端子ネジの中から選択される所望のサイズの端子ネジとナットにて接続する端子台構造であって、
前記端子接続部に前記サイズの異なる複数の端子ネジのうち最大サイズの前記端子ネジの径より大径の透孔を形成するとともに、端子接続部の背部におけるケース部位に、前記端子ネジが螺入されるナットを回動不能に位置決め配置してあることを特徴とする端子台構造。
【請求項２】
前記端子接続部の背部におけるケース部位に、端子接続部の前記透孔に臨む凹部を形成し、この凹部に前記ナットを挿入してある請求項１記載の端子台構造。
【請求項３】
前記透孔の軸心方向と直交する側方から前記ナットを前記凹部に挿入してある請求項２記載の端子台構造。
【請求項４】
前記凹部を、前記透孔の軸心方向に一定形状の直線状凹部に形成してある請求項２または３に記載の端子台構造。
【請求項５】
前記ナットを四角形に形成された角ナットとしてある請求項１ないし４のいずれかに記載の端子台構造。
【請求項６】
スイッチング機構における固定端子に端子接続部を連設し、この端子接続部に外部配線を、サイズの異なる複数の端子ネジの中から選択される所望のサイズの端子ネジとナットにて接続するよう構成した端子台を備えたスイッチであって、
前記端子接続部に前記サイズの異なる複数の端子ネジのうち最大サイズの前記端子ネジの径より大径の透孔を形成するとともに、端子接続部の背部におけるケース部位に前記端子ネジが螺入されるナットを配置保持してあることを特徴とするスイッチ。
【発明の詳細な説明】
【技術分野】
【０００１】
本発明は、各種のスイッチなどに利用される端子台構造、および、端子台を備えたスイッチに関する。
【背景技術】
【０００２】
例えば、リミットスイッチにおいては、操作レバーによって回動される操作軸の回動をプランジャの直線変位に変換して内蔵したスイッチング機構を切換え操作するように構成したものが知られている（例えば、特許文献１参照）。
【特許文献１】特開２００５−１３５７８０号公報
【発明の開示】
【発明が解決しようとする課題】
【０００３】
スイッチング機構を支持したケースの前面には、スイッチング機構の固定端子に外部配線を接続する端子台が配備されており、固定端子に連設された端子接続部に外部配線を、端子ネジを介して接続するよう構成されている。
【０００４】
かかる端子台では、例えば、図１１に示すように、各固定端子３５，３６に連設された端子接続部３５ａ，３６ａにはバーリング加工によってねじ込みボス部３５ｂ、３６ｂが背部に向けて突設されて、端子ネジ３７のねじ込み強度を確保するに足りるネジ込み長さを得られるようにしている。
【０００５】
しかし、使用される端子ネジにはＭ３〜Ｍ６の各種サイズがあり、使用する端子ネジのサイズに応じたネジ孔を持った端子接続部に固定端子を加工することになり、サイズに対応してバーリング加工用金型を変更したり、サイズごとの固定端子加工ラインを利用しなければならず、固定端子の加工コストが高くつくものとなっていた。
【０００６】
本発明は、このような点に着目してなされたものであって、サイズの異なる端子ネジに安価に対応することができる端子台構造、および、これを備えたスイッチを提供することを目的としている。
【課題を解決するための手段】
【０００７】
（１）本発明の端子台構造は、固定端子に連設された端子接続部に外部配線を、サイズの異なる複数の端子ネジの中から選択される所望のサイズの端子ネジとナットにて接続する端子台構造であって、前記端子接続部に前記サイズの異なる複数の端子ネジのうち最大サイズの前記端子ネジの径より大径の透孔を形成するとともに、端子接続部の背部におけるケース部位に、前記端子ネジが螺入されるナットを回動不能に位置決め配置している。
【０００８】
本発明によると、固定端子の端子接続部に形成する透孔を、使用する最大サイズの端子ネジの径より大径に形成し、ケースに挿入支持するナットを、使用する端子ネジに対応したネジ孔を備えたものにすることで、端子ネジに対応した径のバーリング加工およびネジ孔加工を端子接続部に施す必要はなく、各種サイズの端子ネジに対して共用することができる固定端子を単なる打ち抜きプレス加工だけで安価に製作することができる。
【０００９】
（２）本発明の端子台構造の一つの実施形態では、前記端子接続部の背部におけるケース部位に、端子接続部の前記透孔に臨む凹部を形成し、この凹部に前記ナットを挿入している。
【００１０】
この実施形態によると、一旦組み付けたナットを取外すことも可能であり、必要によっては異なったサイズのネジ孔を備えたナットに組み換えすることも可能となる。
【００１１】
（３）本発明の端子台構造の他の実施形態では、前記透孔の軸心方向と直交する側方から前記ナットを前記凹部に挿入している。
【００１２】
この実施形態によると、ケースへの固定端子の組み付け前、あるいは、組み付け後にナットを装着することができるので、部品組み付け手順の自由度が高いものとなり、組み付けラインの設定が容易となる。
【００１３】
（４）上記（２）または（３）の実施形態では、前記凹部を、前記透孔の軸心方向に一定形状の直線状凹部に形成してもよい。
【００１４】
この実施形態によると、凹部に装着されたナットに端子ネジがねじ込まれてナットにねじ込み方向と逆方向への引き寄せ力が強く働くと、ナットは端子接続部の背面に受け止められる一定位置まで移動されることになり、ナットの挿入位置が透孔軸心方向に多少ずれていても強力なねじ締めにより外部配線を連結することができる。
【００１５】
（５）本発明の端子台構造の他の実施形態では、前記ナットを四角形に形成された角ナットとしてもよい。
【００１６】
この実施形態によると、市販品を安価に入手できるとともに、パーツフィーダなどでの取り扱いが容易となり、自動組み付けを能率よく行う上で有効となる。
【００１７】
（６）本発明のスイッチは、スイッチング機構における固定端子に端子接続部を連設し、この端子接続部に外部配線を、サイズの異なる複数の端子ネジの中から選択される所望のサイズの端子ネジとナットにて接続するよう構成した端子台を備えたスイッチであって、前記端子接続部に前記サイズの異なる複数の端子ネジのうち最大サイズの前記端子ネジの径より大径の透孔を形成するとともに、端子接続部の背部におけるケース部位に前記端子ネジが螺入されるナットを配置保持している。                                                                                  
【００１８】
本発明によると、固定端子の端子接続部に形成する透孔を、使用する最大サイズの端子ネジの径より大径に形成し、ケースに挿入支持するナットを、使用する端子ネジに対応したネジ孔を備えたものにすることで、端子ネジに対応した径のバーリング加工およびネジ孔加工を端子接続部に施す必要はなく、各種サイズの端子ネジに対して共用することができる固定端子を単なる打ち抜きプレス加工だけで安価に製作することができ、固定端子を数多く用いるスイッチのコスト低減に有効となる。
【発明の効果】
【００１９】
以上のように、本発明によれば、サイズの異なる端子ネジに安価に対応することができる端子台構造、および、これを備えたスイッチを構成することができる。
【発明を実施するための最良の形態】
【００２０】
以下、本発明の一実施例を図面に基づいて説明する。
【００２１】
図１に、本発明に係る端子台構造を備えたスイッチの一例であるリミットスイッチＡの外観図が、図２にその正面図が、また、図３にその縦断した側面図がそれぞれ示されている。
【００２２】
このリミットスイッチＡは、スイッチ本体１を内装してネジ連結したスイッチケース２の上端に、操作レバー３を左右に揺動操作可能に備えたヘッドケース４を連結して構成されている。
【００２３】
前記スイッチケース２は、前面が開放されるとともに、下端からコード引出し可能に構成された箱形に形成され、前面開口から組み込んだスイッチ本体１をケース内奥面にネジ止め固定するよう構成されるとともに、その前面開口が脱着可能な前カバー５で閉塞されるようになっている。
【００２４】
前記ヘッドケース４には、回動操作軸６が前後向き軸心周りに回動可能に防水支承され、この回動操作軸６の前方突出端に前記操作レバー３が締付けボルト７で連結固定されている。操作レバー３の先端部には、機械装置に備えられたドグやカムなどに当接するローラ８が装備されている。
【００２５】
前記回動操作軸６のケース内部分は、上下に向かう扁平カム部６ａが切欠き形成され、この扁平カム部６ａの上面に圧縮コイルバネ９で圧接される押圧部材１０が上下スライド可能にヘッドケース４に装備されている。操作レバー３に操作外力が作用しない状態では、図示のように、押圧部材１０の扁平下端面が扁平カム部６ａの上面に全面的に押圧当接されることで、扁平カム部６ａが水平姿勢となる所定の初期位相に回動操作軸６が安定保持され、操作レバー３を介して回動操作軸６に正方向あるいは逆方向への回動操作力が作用すると、水平姿勢から正方向あるいは逆方向に傾斜回動する扁平カム部６ａによって押圧部材１０を圧縮コイルバネ９に抗して押し上げながら回動操作軸６が回動し、その回動操作力が消滅すると押圧部材１０による押圧によって回動操作軸６が元の初期位相まで復帰回動するようになっている。
【００２６】
スッチケース２の上端部には、スイッチ操作用のプランジャ１１が上下動可能に防水支持されている。このプランジャ１１の上端に取り付けられた操作片１２が回動操作軸６における前記扁平カム６ａの下面に弾性圧接されており、回動操作軸が初期位相から正方向あるいは逆方向に回動されて扁平カム部６ａが傾斜回動してプランジャ１１が下方に押し込み操作されるようになっている。
【００２７】
図４はスイッチ本体１の正面図であり、図５は端子台構造を示す斜視図であり、図６はその縦断側面図である。
【００２８】
スイッチ本体１は、ケース１５に組み込んだスイッチング機構１６をアクチュエータ１７の上下変位によって切換え作動させるよう構成されており、このアクチュエータ１７がスイッチケース２に支持された前記プランジャ１１の上下作動によって当接操作されるようになっている。
【００２９】
スイッチング機構１６には、常開端子としてケース上部に圧入固定された左右一対の固定端子１８と、常閉端子としてケース下部に圧入固定された左右一対の固定端子１９と、上下の固定端子１８，１９の間において前記アクチュエータ１３に外挿された横長の可動端子２０と、板バネ材を屈曲してなる左右一対のスナップバネ２１と、アクチュエータ１７を上方に復帰付勢するようケース下部に配備された復帰バネ２２が備えられている。可動端子２０の左右箇所には、舌片２０ａが上方に切り出し突設されるとともに、アクチュエータ１７の左右側面にはノッチ２３が形成され、これら舌片２０ａとノッチ２３に亘って前記スナップバネ２１が弾性屈曲変形された状態で係止されている。
【００３０】
上記構成のスイッチング機構１６によると、アクチュエータ１７にプランジャ１１からの押し込み外力が作用していない中立状態では、上限位置にあるアクチュエータ１７のノッチ２３が舌片２０ａのバネ係止点より高い位置にあるので、スナップバネ２１の弾性復元力が舌片２０ａに斜め下方に向けて作用し、係止可動端子２０は下方に弾性押圧されて固定端子１９に受け止められ、左右の固定端子１９が導通接続された状態となる。
【００３１】
プランジャ１１を介してアクチュエータ１７に押し込み力が作用すると、アクチュエータ１７は復帰バネ２２に抗して下方に変位し、ノッチ２３が舌片２０ａのバネ係止点を下方に越えたとたん、舌片２０ａに作用するスナップバネの弾力復元力が斜め上向きに反転し、可動端子２０は瞬時に上方変位して上方の固定接点１８に受け止められ、下方の固定端子１９同士の導通が断たれるとともに、上方の固定端子１８同士が導通接続される。そして、アクチュエータ１７への押し込み操作が解除されると、復帰バネ２２によってアクチュエータ１７が上方に復帰変位するとともに、可動端子２０に作用するスナップバネ２１の弾性復元力が上向きから下向きに切換わって、上方の固定端子１８同士の導通を断って下方の固定端子１９同士を導通する元の状態に戻される。
【００３２】
スイッチ本体１におけるケースの前面には、各固定端子１８，１９を外部装置の回路に配線接続するための端子台２４が備えられている。
【００３３】
各固定端子１８，１９には端子接続部１８ａ，１９ａが屈曲連設されて端子台２４の前面に露出配備されるとともに、各端子接続部１８ａ，１９ａには端子ネジ２５より大径の透孔２６が形成されている。ケース１５には各端子接続部１８ａ，１９ａの背部に臨むとともに、図７および図８に示すように、横側方にも開放された凹部２７が形成され、各凹部２７に四角形に形成されたナット２８が側方から挿入保持されている。
【００３４】
前記凹部２７は、ナット２８の外形幅と同じ、あるいは、若干小さい上下幅を持ち、透孔２６の軸心方向に一定形状に形成された直線状凹部に形成されており、ナット２８は凹部２７に側方から挿入されて回動不能に位置決め保持される。
【００３５】
外部回路との接続に際しては、前カバー５を外して端子台２４を露出させ、図６中の上半部に示すように、外部配線２９の端部にカシメ付けた接続金具３０を端子接続部１８ａ，１９ａと角座金３１との間に挟み込んで端子ネジ２５を装着し、端子ネジ２５をナット２８にねじ込むことで固定端子１８，１９に外部配線２９を接続する。
【００３６】
すなわち、端子ネジ２５のねじ込みによってナット２８は端子接続部１８ａ，１９ａの背面に受け止められるまで引き寄せられることになる。
【００３７】
前記ナット２８は市販されている角ナットを利用することができ、端子ネジ２５のサイズに対応したネジ孔２８ａを備えたナット２８を任意に使用することができる。
【００３８】
〔他の実施例〕
（１）図９に示すように、前記凹部２７を段付きに形成して、ナット２８を透孔２６の軸心方向に位置決めして側方から挿入支持するように構成して、端子ネジ２５のねじ込みによってもナット２８が移動しない形態で実施することもできる。
【００３９】
（２）図１０に示すように、前記凹部２７を端子接続部１８ａ，１９ａの受け止め面に開口した段付きの角穴に構成して、固定端子１８，１９を組み込む前にナット２８を凹部２７に前面から落とし込み挿入する形態で実施することもできる。
【００４０】
（３）前記ナット２８として六角ナットを用いることもできる。
【００４１】
（４）本発明は、リミットスイッチなどのスイッチのみならず端子台を備えた制御器や配電盤などの各種電気機器に適用することもできる。
【産業上の利用可能性】
【００４２】
本発明は、各種のスイッチなどとして有用である。
【図面の簡単な説明】
【００４３】
【図１】リミットスイッチの外観斜視図である。
【図２】リミットスイッチの前カバーを取外した状態の正面図である。
【図３】リミットスイッチの縦断側面図である。
【図４】スイッチ本体の正面図である。
【図５】端子台構造を示す斜視図である。
【図６】端子台構造の要部を示す縦断側面図である。
【図７】端子台構造の一部を示す斜視図である。
【図８】端子台構造の一部を示す分解斜視図である。
【図９】ナット装着構造の他の実施例を示す要部の分解斜視図である。
【図１０】ナット装着構造の更に別の実施例を示す要部の分解斜視図である。
【図１１】従来の端子台構造の要部を示す縦断側面図である
【符号の説明】
【００４４】
１８              固定端子
１８ａ            端子接続部
１９              固定端子
１９ａ            端子接続部
２５              端子ネジ
２６              透孔
２７              凹部
２８              ナット
２９              外部配線
【図１】
0005245458.tif 000002
【図２】
0005245458.tif 000003
【図３】
0005245458.tif 000004
【図４】
0005245458.tif 000005
【図５】
0005245458.tif 000006
【図６】
0005245458.tif 000007
【図７】
0005245458.tif 000008
【図８】
0005245458.tif 000009
【図９】
0005245458.tif 000010
【図１０】
0005245458.tif 000011
【図１１】
0005245458.tif 000012